(57)【要約】      （修正有）【課題】濁度の高い水中においても、対象魚が食いつき易く、優れた釣果を達成できるルアーを提供する。【解決手段】ルアー本体２と、ルアー本体２の進行方向Ａとは異なる方向に動くことのできる可動部材３と、釣り針４と、を有している。可動部材３と釣り針４は、ルアー本体２にそれぞれ取り付けられている。可動部材３は、着色部３１を有する樹脂成形品を有し、可動部材３と釣り針４を最も近接させたときに、可動部材３の最も釣り針４に近い表面部と釣り針４の最も可動部材３に近い表面部の直線距離が０ｍｍ〜２０ｍｍとなるように、可動部材３と釣り針４とがルアー本体２にそれぞれ取り付けられている。【選択図】図１
0003186315.tif 000002
【実用新案登録請求の範囲】
【請求項１】
ルアー本体と、前記ルアー本体の進行方向とは異なる方向に動くことのできる可動部材と、釣り針と、を有しており、
前記可動部材と前記釣り針が、前記ルアー本体にそれぞれ取り付けられており、
前記可動部材が、着色部を有する樹脂成形品を有し、且つ、前記釣り針の近傍に設けられていることを特徴とするルアー。
【請求項２】
前記可動部材が、可動時において前記釣り針と接触可能に設けられている請求項１に記載のルアー。
【請求項３】
前記着色部が、蛍光着色料及び蓄光着色料のうち少なくとも何れか一方を含んでいる請求項１又は２に記載のルアー。
【請求項４】
前記着色部の平均明度（ＶＡ１）とルアー本体の平均明度（ＶＡ２）の差（ＶＡ１−ＶＡ２）が、２〜９であり、前記着色部の平均彩度（ＣＡ１）とルアー本体の平均彩度（ＣＡ２）の差（ＣＡ１−ＣＡ２）が、２〜１２である請求項１〜３の何れかに記載のルアー。
【請求項５】
前記可動部材の表面積（Ｓ１）が前記ルアー本体の表面積（Ｓ２）よりも小さい請求項１〜４の何れかに記載のルアー。
【請求項６】
前記可動部材の表面積（Ｓ１）と前記ルアー本体の表面積（Ｓ２）の比率（Ｓ１：Ｓ２）が、１：５０〜１：３である請求項５に記載のルアー。
【請求項７】
ルアー本体と、前記ルアー本体に取り付けられた釣り針と、を有しており、
前記釣り針が、前記ルアー本体に取り付けられた軸部と、前記軸部の一端縁から他端縁側にかけて放射状に延びる複数の針部と、を有し、
前記釣り針の軸部が、着色部を有する樹脂成形品を有することを特徴とするルアー。
【考案の詳細な説明】
【技術分野】
【０００１】
本考案は、魚釣り用のルアーに関する。
【背景技術】
【０００２】
従来、魚釣りにおいてルアーが用いられている（特許文献１）。ルアーは、釣りの対象となる魚（対象魚）の餌である小魚等の形態を模したルアー本体と、前記ルアー本体に取り付けられた釣り針と、を有する。
水中において、ルアーを本物の餌と錯覚した対象魚は、ルアーに食いつき、その際、ルアー本体に取り付けられた釣り針が対象魚の口腔内に引っ掛かる。その結果、釣り人は、対象魚を釣り上げることができる。
しかし、対象魚は、主として視覚によってルアーを認識して食いつく。そのため、濁度の高い水中では、対象魚がルアーを見失い易く、結果として釣果が悪くなる。
また、対象魚がルアーを見失わなかったとしても、濁度の高い水中では、対象魚は正確にルアーの全体像を捉えきれず、中途半端にルアーに食いつく傾向にある。その結果、釣り針が、対象魚の口腔内に入り難く、結果として釣果が悪くなる。
【先行技術文献】
【特許文献】
【０００３】
【特許文献１】特開２００８−２９７６４４号公報
【考案の概要】
【考案が解決しようとする課題】
【０００４】
本考案の課題は、濁度の高い水中でも対象魚が見逃し難く、優れた釣果を達成できるルアーを提供することである。
【課題を解決するための手段】
【０００５】
本考案者が鋭意研究を行った結果、濁度の高い水中において従来のルアーの釣果が悪くなる理由は、釣り針の配置が一因であることを見出した。
即ち、従来のルアーは、一般的に、対象魚がルアーを丸呑みすることを想定して設計されている。つまり、従来のルアーは、対象魚がルアーを丸呑みした際に最も効果的に対象魚の口腔内に引っ掛かるように釣り針が配設されている。しかし、濁度の高い水中では、対象魚は、ルアーの全体像を把握してルアーに食いつくのではなく、ルアーの特に目立つ部材を目がけて食いつく傾向にある。従来のルアーでは、この特に目立つ部材がないか、若しくは目立つ部材があるとしても、この部材と釣り針とが大きく離れている。そのため、ルアーに対象魚が食いついても、釣り針は対象魚の口腔内に入り難く、結果として釣果が悪くなる。
本考案者は、上記知見に基づき、釣り針を目立つ部材の近傍に配設することで、濁度の高い水中でも良好な釣果を達成できるルアーが得られることを見出した。
【０００６】
本考案の第１のルアーは、ルアー本体と、前記ルアー本体の進行方向とは異なる方向に動くことのできる可動部材と、釣り針と、を有しており、前記可動部材と前記釣り針が、前記ルアー本体にそれぞれ取り付けられており、前記可動部材が、着色部を有する樹脂成形品を有し、且つ、前記釣り針の近傍に設けられている。
【０００７】
本考案のルアーは、好ましくは、前記可動部材が、可動時において前記釣り針と接触可能に設けられている。また、好ましくは、前記着色部が、蛍光着色料及び蓄光着色料のうち少なくとも何れか一方を含んでいる。また、好ましくは、前記着色部の平均明度（ＶＡ１）とルアー本体の平均明度（ＶＡ２）の差（ＶＡ１−ＶＡ２）が、２〜９であり、前記着色部の平均彩度（ＣＡ１）とルアー本体の平均彩度（ＣＡ２）の差（ＣＡ１−ＣＡ２）が、２〜１２である。
【０００８】
本考案のルアーは、好ましくは、前記可動部材の表面積（Ｓ１）が前記ルアー本体の表面積（Ｓ２）よりも小さい。また、好ましくは、前記可動部材の表面積（Ｓ１）と前記ルアー本体の表面積（Ｓ２）の比率（Ｓ１：Ｓ２）が、１：５０〜１：３である。
【０００９】
本考案の第２のルアーは、ルアー本体と、前記ルアー本体に取り付けられた釣り針と、を有しており、前記釣り針が、前記ルアー本体に取り付けられた軸部と、前記軸部の一端縁から他端縁側にかけて放射状に延びる複数の針部と、を有し、前記釣り針の軸部が、着色部を有する樹脂成形品を有する。
【考案の効果】
【００１０】
本考案のルアーは、着色部を有する樹脂成形品を有するため濁度の高い水中でも対象魚を惹きつけることができる。また、着色部は釣り針の近傍に設けられている。従って、本考案のルアーは、着色部を目がけてルアーに食いついた対象魚の口腔内に効率的に釣り針を入れることができ、その結果、優れた釣果を達成することができる。
【図面の簡単な説明】
【００１１】
【図１】本考案の第１の実施形態に係るルアーを示す側面図。
【図２】（ａ）は同ルアーに用いられる可動部材を示す側面図であり、（ｂ）はその背面図。
【図３】可動部材が動いている状態を示した同ルアーの参考背面図。
【図４】（ａ）は同ルアーに用いられる釣り針を示す斜視図であり、（ｂ）は（ａ）の釣り針をＩＶｂ−ＩＶｂ線で切断した断面図。
【図５】本考案の第１変形例に係るルアーを示す側面図。
【図６】（ａ）は第１変形例に係るルアーに用いられる可動部材を示す側面図であり、（ｂ）はその背面図。
【図７】可動部材が動いている状態を示した第１変形例に係るルアーの参考背面図。
【図８】本考案の第２変形例に係るルアーを示す側面図。
【図９】（ａ）は第２変形例に係るルアーの可動部材を示す側面図であり、（ｂ）はその下面図。
【図１０】第２変形例に係る可動部材が動いている状態を示す参考下面図。
【図１１】本考案の第３変形例に係るルアーを示す側面図。
【図１２】本考案の第２の実施形態に係るルアーを示す側面図。
【図１３】図１２のルアーをＸＩＩＩ−ＸＩＩＩ線で切断した拡大断面図。
【考案を実施するための形態】
【００１２】
本考案のルアーは、ルアー本体と、ルアー本体の進行方向とは異なる方向に動くことのできる可動部材と、釣り針と、を有する。可動部材と釣り針は、ルアー本体に取り付けられており、可動部材は、釣り針の近傍に配設されている。以下、本考案の実施形態を図面を参照しつつ説明する。
【００１３】
なお、本明細書において、「前方」とは、本考案のルアーに取り付けられたミチ糸を水中で引いた際にルアーが進む方向を意味し、「後方」とは、前記前方と反対の方向であり、「上方」とは、水中で進行中の前記ルアーを基準にしてその水面側を意味し、「下方」とは、水中で進行中の前記ルアーを基準にして水底側を意味する。図１のルアー側面図を基準にすると、図１の左側が「前方」であり、図１の右側が「後方」であり、図１の上側（ルアー１の背側）が「上方」であり、図１の下側（ルアー１の腹側）が「下方」である。
各図において、必要に応じて、ルアー１の進行方向を矢印Ａ（又は点Ａ）で表し、ルアー１の進行方向に対して上下に直交する方向（上下方向）を矢印Ｂで表し、ルアー１の進行方向及び上下方向に対して直交する方向（幅方向）を矢印Ｃで表す。
また、本明細書において、ある部材又は部分の「前（後）端」とは、ある部材又は部分の最も前方（後方）にある部分を指し、ある部材又は部分の「前（後）端部」とは、前記前（後）端及びその近傍を含んだ部分を指す。
【００１４】
［第１の実施形態］
図１は、本考案の第１の実施形態に係るルアーを示す側面図であり、図２は、同ルアーの可動部材を示す側面図及び背面図であり、図３は、可動部材が動いている状態を示したルアーの参考背面図である。以下、本実施形態におけるルアーの各部材及び各部分について詳述する。
【００１５】
＜ルアー本体＞
ルアー本体２は、本考案のルアー１の中核となる部材である。ルアー１を構成するルアー本体２以外の各部材は、全てルアー本体２に直接又は間接的に連結される。ルアー本体２の形状は特に限定されず、好ましくは、本物の餌（小魚等）の形状を模した形状に形成される。図１に示すように、好ましくは、ルアー本体２は、小魚を模した形状に形成されており、小魚の器官（目や鱗等）を再現した彩色が施される。
【００１６】
ルアー本体２は、中空状に形成されていてもよく、中実状に形成されていてもよい。ルアー本体２を中空状に形成する場合、球状の錘（ラトル）をルアー本体２の内部に転動可能に収容することもできる。この場合、水中でルアー１が揺動すると、ルアー本体２の内部に収容したラトルが転がる。そして、ラトルがルアー本体２の内壁と衝突することによりラトル音が発生し、このラトル音によって対象魚の興味をルアー１に向けさせることが可能である。
【００１７】
ルアー本体２は、釣り針４を連結する釣り針連結部２１と、可動部材３を連結する可動部材連結部２２と、ミチ糸（図示せず）を連結するミチ糸連結部２３と、を有する。
図１に示すルアー１では、ルアー本体２の下方（腹側）に２つの釣り針連結部２１，２１が設けられており、一方の釣り針連結部２１は、ルアー本体２の前方側に設けられており、他方の釣り針連結部２１は、ルアー本体２の後方側に設けられている。また、ルアー本体２の後端部には、１つの可動部材連結部２２が設けられており、ルアー本体２の前端部には、１つのミチ糸連結部２３が設けられている。
なお、本考案において、ルアー本体２が有する釣り針連結部２１及び可動部材連結部２２の数は限定されず、ルアー本体２に取り付けられる釣り針４及び可動部材３の数にあわせて適宜変更することが可能である。
これら３種の連結部（釣り針連結部２１、可動部材連結部２２、及びミチ糸連結部２３）の形状は特に限定されないが、好ましくは図１に示すように環状に形成される。このような環状の連結部は、例えば、Ｕ字状の針金や８の字状の針金を用いて形成することができる。具体的には、Ｕ字状の針金を用いる場合、その一端部と他端部がルアー本体２に埋め込まれており、その両端部を除く中途部がルアー本体２の表面から突出されることによって環状の連結部が形成される。また、８の字状の針金を用いる場合、その一方の円環部がルアー本体２に埋め込まれており、他方の円環部がルアー本体２の表面から突出されることによって環状の連結部を形成できる。
【００１８】
ルアー本体２において、釣り針連結部２１及び可動部材連結部２２の配置は特に限定されず、必要に応じて適宜変更することができる。もっとも、後述するように、本実施形態では、可動部材３が釣り針４の近傍に設けられている。従って、釣り針連結部２１は可動部材連結部２２の近傍に設けられることが好ましい。具体的には、釣り針連結部２１の最も可動部材連結部２２に近い表面の一部と可動部材連結部２２の最も釣り針連結部２１に近い表面の一部の直線距離は、５ｍｍ〜５０ｍｍであることが好ましく、より好ましくは５ｍｍ〜２５ｍｍであり、特に好ましくは５ｍｍ〜１０ｍｍである。なお、ルアー本体２が複数の釣り針連結部２１及び可動部材連結部２２を有する場合、両連結部２１，２２の直線距離を複数想定することができるが、それら複数の直線距離の中でも最短のものが両連結部２１，２２の直線距離に相当する。
また、ルアー本体２において、ミチ糸連結部２３の配置も特に限定されず、必要に応じて適宜変更することができる。
【００１９】
ルアー本体２の形成材料は特に限定されず、対象魚が食いついても壊れない程度の機械的強度を有する材料が用いられる。このような材料としては、金属、木材、樹脂などが挙げられ、好ましくは樹脂が用いられる。特に、成形が容易であることから、ＡＢＳ樹脂が好ましく用いられる。
【００２０】
＜可動部材＞
可動部材は、ルアー本体２に取り付けられた部材であり、対象魚を惹きつける部材である。可動部材の形状は特に限定されないが、好ましくは、対象魚の餌の器官を模した形状を有する。例えば、図１では、可動部材３は小魚の尾びれを模した形状を有する。可動部材３が対象魚の餌の器官を模した形状を有していれば、より対象魚が可動部材３に食いつき易くなる。
【００２１】
可動部材は、着色部を有する樹脂成形品を有する。この樹脂の種類は特に限定されない。樹脂は、ポリアセタール系樹脂、ナイロン系樹脂、又はポリエステル系樹脂などの硬質樹脂であってもよく、エラストマー系樹脂、シリコン系樹脂、アクリル系樹脂、又はウレタン系樹脂などの軟質樹脂であってもよく、硬質樹脂や軟質樹脂を発泡させた発泡樹脂であってもよい。軟質樹脂を用いることにより、可撓性を有する可動部材を形成することができる。
【００２２】
可動部材の表面積（Ｓ１）は、ルアー本体の表面積（Ｓ２）よりも小さいことが好ましい。可動部材の表面積（Ｓ１）がルアー本体の表面積（Ｓ２）よりも大きい場合、対象魚が、ルアーの大きさを見誤り、捕食可能な大きさを超えていると認識させる可能性があり、ルアーに対する対象魚の食いつきが悪くなる虞がある。他方、可動部材の表面積（Ｓ１）が小さすぎると、可動部材が目立たず、対象魚がルアーを見逃す虞がある。
これらを考慮すると、可動部材の表面積（Ｓ１）とルアー本体の表面積（Ｓ２）の比（Ｓ１：Ｓ２）は、通常１：５０〜１：３であり、好ましくは１：３０〜１：３であり、より好ましくは１：１０〜１：３である。
【００２３】
可動部材は着色部を有する樹脂成形品を有する。着色部は、樹脂が着色料（顔料や染料）を含んでいる部分である。着色部は、成形した樹脂に対して着色料を塗工することで形成されていてもよく、可動部材の成形時に樹脂と着色料を混合することで形成されていてもよい。
また、着色部は、可動部材（樹脂成形品）の一部分に形成されていてもよく、可動部材全体に形成されていてもよい。着色部を可動部材の一部分に形成することで、着色部の色と樹脂自体の色の差によってコントラストが生じ、その結果、模様を形成することができる。
可動部材の表面に模様を形成する場合、着色部は、成形した樹脂に着色料を塗工することで形成されることが好ましい。他方、全体が単一色で着色された可動部材を形成する場合、着色部は、可動部材の成形時に樹脂と着色料を混合することで形成されることが好ましい。
もっとも、対象魚を効果的に惹きつけることができるため、着色部は可動部材の全体に単一色で形成されることが好ましい。なお、各図面において可動部材の着色部に、便宜上、格子状模様を付している。各図面では、可動部材の全体に着色部が形成されている。
【００２４】
着色部の色は、対象魚を惹きつけるものであれば特に限定されない。着色部の色は、有彩色であってもよいし、無彩色であってもよいし、蛍光色であってもよいし、燐光色であってもよい。好ましくは、着色部の色は有彩色、蛍光色、又は燐光色であり、より好ましくは蛍光色又は燐光色であり、特に好ましくは燐光色である。着色部が蛍光色又は燐光色であれば、濁度の高い水中においても、可動部材が十分に目立ち、対象魚を惹きつけることができる。なお、本明細書において蛍光色又は燐光色とは、着色部（着色料）が発光している時の色を意味する。
着色部の色は赤や黄色の暖色であってもよく、青や紫の寒色であってもよく、緑などの中間色であってもよい。好ましくは着色部の色は暖色である。暖色で着色された可動部材は、寒色又は中間色で着色された可動部材に比して対象魚を効果的に惹きつけることができる。
【００２５】
着色部の色が有彩色である場合、着色部には有彩着色料が含まれており、着色部の色が無彩色である場合、着色部には無彩着色料が含まれている。
これら着色料の種類は特に限定されないが、有彩着色料として、例えば、黄鉛、カドミニウム系、クロムバーミリオン、ニッケルチタン、クロムチタン、黄色酸化鉄、ベンガラ、ジンククロメート、鉛丹、群青、紺青、コバルトブルー、クロムグリーン、酸化クロム、及びバナジン酸ビスマス等が用いられる。また、無彩着色料として、例えば、カーボンブラック、ボーンブラック、グラファイト、鉄黒、及びチタンブラック等が用いられる。
【００２６】
着色部の色が蛍光色である場合、着色部には蛍光着色料が含まれており、着色部の色が燐光色である場合、着色部には蓄光着色料が含まれている。
これら着色料の種類は特に限定されないが、例えば、赤色系蛍光着色料としてＹ２Ｏ２ＳにＥｕをドーピングした着色料が、緑色系蛍光着色料としてＺｎ２ＧｅＯ４にＭｎをドーピングした着色料が、青色系蛍光着色料としてＳｒ５（ＰＯ４）が用いられる。また、例えば、青色系蓄光着色料としてＣａＡｌ２Ｏ３にＥｕとＮｄをドーピングした着色料やＳｒ４Ａｌ１４Ｏ２５にＥｕとＤｙをドーピングした着色料が、緑色系蓄光着色料としてＳｒＡｌ２Ｏ４にＥｕとＤｙをドーピングした着色料が、赤色系蓄光着色料としてＹ２Ｏ２ＳにＥｕとＭｇとＴｉをドーピングした着色料が用いられる。
これらの着色料は、１種単独で用いてもよく、２種以上を混合して用いてもよい。
【００２７】
可動部材の着色部は高い明度及び／又は彩度を有することが好ましく、より好ましくは高い明度及び彩度を有する。高い明度及び／又は彩度を有する着色部は目立つため、対象魚をより可動部材に惹きつけることができる。
具体的には、着色部の明度（Ｖ１）は、好ましくは４〜９であり、より好ましくは６〜９である。また着色部の彩度（Ｃ１）は、好ましくは、５〜１４であり、より好ましくは７〜１４である。なお、明度及び彩度は、マンセル表色系（ＪＩＳ  Ｚ  ８７２１）に準拠して規定された値である。
【００２８】
また、可動部材の着色部は、ルアー本体よりも目立つことが好ましい。ルアー本体の方が可動部材の着色部よりも目立つと、対象魚が可動部材ではなくルアー本体に誘導される可能性が高くなり、その結果、対象魚が可動部材に食いつかず、釣り針を可動部材の近傍に配設した意義が低下する虞がある。従って、着色部は、ルアー本体よりも明度及び彩度が高いことが好ましい。
ここで、図１に示すように、一般的に、ルアー本体２は、ルアー本体２を形成する材料（樹脂等）自体の色を有する部分（素色部２４）と、対象魚の餌の器官等を再現した彩色が施された部分（彩色部２５）と、を有する。可動部材３の着色部３１は、このルアー本体２の素色部２４及び彩色部２５よりも明度及び彩度が高いことが好ましい。
なお、彩色部２５は、可動部材３の着色部３１と同様に、ルアー本体２に着色料を塗工することや、ルアー本体２の成形時に樹脂と着色料を混合することで形成される。もっとも、彩色部２５が着色部３１よりも目立つ虞があるため、彩色部２５には蛍光着色料又は蓄光着色料が含まれないことが好ましい。
【００２９】
着色部の平均明度（ＶＡ１）とルアー本体の平均明度（ＶＡ２）の差（ＶＡ１−ＶＡ２）は、好ましくは２〜９であり、より好ましくは３〜９であり、特に好ましくは４〜９である。また、着色部の平均彩度（ＣＡ１）とルアー本体の平均彩度（ＣＡ２）の差（ＣＡ１−ＣＡ２）は、好ましくは２〜１２であり、より好ましくは６〜１２であり、特に好ましくは８〜１２である。
なお、着色部の平均明度とは、着色部の明度の平均値をいう。具体的には、例えば、着色部がＡ色（明度２）及びＢ色（明度８）の２色から構成されており、Ａ色の占める面積が１０であり且つＢ色の占める面積が２０である場合、着色部の平均明度は、式：（Ａ色の明度×Ａ色の面積＋Ｂ色の明度×Ｂ色の面積）／着色部の全表面積、によって算出される値である。上記例では、着色部の平均明度は、６（即ち、（２×１０＋８×２０）／３０＝６）である。着色部がＡ色のみで構成されている場合、Ａ色の明度が着色部の平均明度に相当する。着色部の平均彩度についても同様である。
また、ルアー本体の平均明度とは、ルアー本体の素色部と彩色部の平均明度に相当する。ルアー本体が素色部のみを有する場合、素色部の明度が平均明度に相当する。ルアー本体の平均彩度についても同様である。
【００３０】
また、可動部材は透明であってもよく非透明であってもよいが、好ましくは透明である。透明とは、図２（ａ）に示すように可動部材を幅方向一方側から側面視した状態において、可動部材の幅方向他方側にある物が視認できることをいう。具体的には、可動部材の光線透過率は、好ましくは３０％以上であり、より好ましくは５０％以上であり、特に好ましくは７０％以上である。但し、光線透過率は、ＪＩＳ  Ｋ  ７１０５−１９８１（プラスチックの光学的特性試験方法）に準じた方法によって測定した値であり、光線透過率（％）＝（Ｔ２／Ｔ１）×１００、で算出される値をいう。ここで、Ｔ２は、全光線透過量（試験片を透過した全光量）を表し、Ｔ１は、入射光量を表す。
また、可動部材が透明である場合、ルアー本体は実質的に非透明であることが好ましい。実質的に非透明とは、ルアー本体の光線透過率が１０％以下であることをいう。可動部材が透明で、且つ、ルアー本体が実質的に非透明であれば、ルアー本体に比して可動部材がより目立ち易くなるため、濁度の高い水中において、対象魚を効果的に可動部材に誘導することができる。
【００３１】
可動部材は、水中において、ルアーの進行方向とは異なる方向に動くことができる。可動部材が動くことにより、対象魚が可動部材に食いつき易くなる。可動部材を動かす手段は特に限定されない。
例えば、図１に示すように、可動部材３は、孔部３２を有する。そして、可動部材３の孔部３２とルアー本体２の可動部材連結部２２が、環状のリング部材５を介して連結されている。つまり、可動部材３は、環状のリング部材５と略Ｕ字状の可動部材連結部２２を介して間接的にルアー本体２に取り付けられている。従って、可動部材３は、図３に示すように、ルアー１の進行方向Ａとは異なる方向（幅方向Ｃ及び上下方向Ｂ）に揺動することができる。図３では、可動部材の動きを二点鎖線及び太矢印で表している（図７及び図１０についても同様）。
なお、可動部材３は、その孔部３２と可動部材連結部２２とが、リング部材５を介さずに直接ルアー本体２に取り付けられていてもよい。もっとも、リング部材５を介して連結された方が、可動部材の揺動可能な範囲（可動域）が広がる。従って、可動部材３は、リング部材５を介してルアー本体２に取り付けられていることが好ましい。
【００３２】
図２（ａ）に示すように、可動部材３は、その側面視形状が小魚の尾びれを模した形状となるように形成されている。この可動部材３は、図２（ｂ）に示すように、その後端部において、上方から下方にかけて幅が大きくなった膨張部３３を有する。ルアー１の遊泳時において、水流は、ルアー本体２の前方から後方にかけて流れる。そのため、可動部材３が膨張部３３を有していれば、前記水流が膨張部３３に当たり易くなり、その結果、可動部材３をより揺動させ易くすることができる。
なお、膨張部３３の形成位置は、可動部材３の後端部に限られず任意に変更することができる。
【００３３】
ルアー本体に取り付けられる可動部材の数は特に限定されないが、好ましくは１〜５個であり、より好ましくは１〜３個であり、特に好ましくは１又は２個である。
可動部材の数が多ければより対象魚を惹きつけることができるが、あまりに可動部材の数が多いと、対象魚がどの可動部材に食いつくか迷い易く、場合によっては対象魚が可動部材に食いつかない虞がある。
また、ルアー本体２において、可動部材３が取り付けられる部分は特に限定されないが、好ましくは、ルアー本体２の後端部に可動部材３が取り付けられる。ルアー本体２の後端部に可動部材３が取り付けられていれば、ルアー１の後方から迫る対象魚がより可動部材３に食いつき易くなる。
【００３４】
＜釣り針＞
釣り針は、対象魚の口腔内に引っ掛かるように構成された部材である。釣り針は、水中において揺動可能なようにルアー本体に取り付けられていてもよいし、揺動しないようにルアー本体に固定されていてもよい。好ましくは、釣り針は、揺動可能なようにルアー本体に取り付けられる。釣り針が揺動可能であれば、釣り針の可動域と可動部材の可動域が重複し易くなるため（即ち、釣り針と可動部材がより近傍に位置し易くなるため）、対象魚が可動部材に食いついた際に、釣り針が対象魚の口腔内に入り易くなる。
【００３５】
釣り針の形状は特に限定されない。例えば、図４（ａ）に示すように、釣り針４は、穴部４１１を有する基端部４１と、基端部４１から延設された棒状の軸部４２と、軸部４２から延設されたフック状の針部４３と、を有する。
図４（ａ）に示す釣り針４は、１つの軸部４２に対し複数の針部４３を有する錨状釣り針である。しかし、１つの軸部４２に対し１つの針部４３を有するＪ字状釣り針（図示せず）を用いることもできる。もっとも、本考案では、錨状釣り針を用いることが好ましい。錨状釣り針は複数の針部４３を有するため、ルアー１に対象魚が食いついた際、針部４３が対象魚の口腔内に入り易いためである。
【００３６】
錨状釣り針は、例えば、複数のＪ字状釣り針の各軸部を一体化することで形成される。つまり、錨状釣り針の軸部は、複数のＪ字状釣り針の軸部によって構成されている。錨状釣り針を構成するＪ字状釣り針は、各針部が放射状に延出するように配置されている。
図４（ｂ）は、図４（ａ）に示す錨状釣り針の軸部のＩＶｂ−ＩＶｂ線断面図である。図４（ｂ）に示すように、錨状釣り針４は、３つのＪ字状釣り針の軸部４２１，４２２，４２３を一体化することにより形成されており、各Ｊ字状の釣り針の針部が、約１２０°の間隔を空けて放射状に延出するように配置されている。即ち、錨状釣り針の軸部４２は、３つのＪ字状釣り針の軸部４２１，４２２，４２３によって構成されている。
【００３７】
図１に示すように、釣り針４の基端部４１の穴部４１１とルアー本体２の釣り針連結部２１は、環状のリング部材５を介して連結されている。つまり、釣り針４は、環状のリング部材５と略Ｕ字状の釣り針連結部２１を介して間接的にルアー本体２に取り付けられている。そのため、釣り針４は、水中において揺動可能である。もっとも、上記可動部材と同様に、釣り針４は、その基端部４１の穴部４１１と釣り針連結部２１とが、リング部材５を介さずに直接連結されていてもよい。
釣り針４の軸部４２の長さは特に限定されず、対象魚の大きさや可動部材の配置によって適宜変更することができる。例えば、可動部材連結部２２と釣り針連結部２１が比較的離れている場合、軸部４２の長い釣り針を用いることにより、釣り針４と可動部材３を近傍に配置することができる。
また、釣り針４の針部４３の曲率は特に限定されず、対象魚の種類によって任意に変更することができる。
【００３８】
可動部材は釣り針の近傍に設けられている。「近傍に設けられている」とは、具体的には、可動部材を任意の方向に動かし、且つ、（釣り針が動く場合には）釣り針を任意の方向に動かすことで、可動部材と釣り針とを最も近接させた状態にした際、可動部材の最も釣り針に近い表面の一部と釣り針の最も可動部材に近い表面の一部の直線距離が、０ｍｍ〜２０ｍｍであることを意味する。両部材の直線距離は、好ましくは０ｍｍ〜１０ｍｍであり、より好ましくは０ｍｍ〜５ｍｍである。両部材の直線距離が０ｍｍである場合は、可動部材と釣り針が接触することを意味する。なお、両部材の直線距離は０ｍｍを下回ることができない。そのため、可動部材を任意の方向に十分に動かさずとも両部材の直線距離は０ｍｍとなり得る。また、ルアーが釣り針を複数有する場合、直線距離を複数想定することができるが、それら複数の直線距離のなかでも最短のものが両部材の直線距離に相当する。
本考案では、このように可動部材が釣り針の近傍に設けられているため、可動部材を狙って食いついた対象魚の口腔内に釣り針が入り易い。そのため、本考案のルアーは優れた釣果を発揮することができる。
なお、ルアーが複数の釣り針と複数の可動部材を有する場合、必ずしも全ての可動部材が全ての釣り針の近傍に設けられている必要はなく、少なくとも１つの可動部材が１つの釣り針の近傍に設けられていればよい。もっとも、全ての可動部材が全ての釣り針の近傍に設けられていることが好ましい。
【００３９】
可動部材を釣り針の近傍に設ける手段は特に限定されず、例えば、釣り針連結部を可動部材連結部の近傍に配設することや、釣り針と可動部材の双方を揺動可能にすることや、長い軸部を有する釣り針を用いることや、リング部材を用いて釣り針や可動部材の可動域を広くすることや、これらの組み合わせ等が挙げられる。
図１では、可動部材３と釣り針４の双方が揺動可能であり、可動部材連結部２２がルアー本体２の後方に設けられた釣り針連結部２１の近傍に配設されており、なお且つ、リング部材５を用いることにより釣り針４と可動部材３の可動域が広くされている。従って、ルアー本体２の後方にある釣り針４と可動部材３は、互いに接触可能である。
【００４０】
本考案の第１の実施形態に係るルアーは、着色部を有する可動部材と釣り針とを有し、可動部材が釣り針の近傍に配設されている。従って、可動部材の着色部に惹きつけられた対象魚が釣り針を口腔内に飲み込み易い。従って、本考案のルアーは、濁度の高い水中でも優れた釣果を発揮することができる。
【００４１】
以下、本考案第１の実施形態の変形例や第２の実施形態について説明する。もっとも、以下の変形例及び第２の実施形態の説明において、主として上記第１の実施形態と異なる構成及び効果について説明し、第１の実施形態と同様の構成などについては、その説明を省略し、用語及び符号を援用する場合がある。
【００４２】
［第１変形例］
図５は、本考案の第１変形例に係るルアーの側面図であり、図６（ａ）及び図６（ｂ）は、同ルアーの可動部材を示す側面図及び背面図であり、図７は、可動部材が動いている状態を示すルアーの参考背面図である。
図５〜図７に示すように、本変形例に係るルアー１は、ルアー本体２の後端部から後方に延設された釣り針連結部２１を有する。この釣り針連結部２１は、ルアー本体２の後端部に取り付けられた棒状の軸部２１１と、前記軸部の後端から延設された円環部２１２と、を有する。そして、釣り針４は、釣り針連結部２１の円環部２１２にリング部材５を介して揺動可能に連結されている。
本変形例において、可動部材３は、プロペラ状に構成されている。具体的には、可動部材３は、円筒部３４と、円筒部３４の外周面から延設された２枚一組の板状のブレード部３５，３５と、を有する。そして、釣り針連結部２１の軸部２１１が可動部材３の円筒部３４の内側に嵌入されることで、釣り針連結部２１と可動部材３が連結されている。即ち、本変形例では、釣り針連結部２１は、可動部材連結部としても機能している。
【００４３】
可動部材３の円筒部３４の長さは、釣り針連結部２１の軸部２１１と略同じ長さ、又は、軸部２１１よりも若干短い。また、可動部材３の円筒部３４の内径は、釣り針連結部２１の軸部２１１の軸径と略同じ、又は、軸部２１１の軸径よりも若干大きい。
可動部材３は、ブレード部３５に水流が当たることによって、円筒部３４を回転軸としてブレード部３５をルアー本体２の進行方向Ａと異なる方向に回転させることができる（図７参照）。
釣り針４の可動域と可動部材３（ブレード部３５）の可動域は、一部において共通している。従って、この共通した可動域において可動部材３（ブレード部３５）と釣り針４が接触可能である。
【００４４】
なお、図５〜図７において、可動部材のブレード部は、２枚一組に構成されているが、本考案において、ブレード部３５の数は特に限定されない。ブレード部は、１枚でもよいし、３枚以上でもよい。また、図５及び図７において、釣り針として、錨状釣り針を用いているが、Ｊ字状釣り針を用いてもよい。
プロペラ状の可動部材を用いると、ブレード部の回転により波動が生じ易くなるため、より対象魚を惹きつけることができる。その結果、ルアーは、良好な釣果を達成することができる。
【００４５】
［第２変形例］
図８は、本考案の第２変形例に係るルアーの側面図であり、図９（ａ）及び図９（ｂ）は、同ルアーの可動部材を示す側面図及び下面図であり、図１０は、可動部材の動いている状態を示す参考下面図である。
本変形例では、ルアー１は、ルアー本体２の下方に取り付けられた可動部材３を有する。この可動部材３は、軟質樹脂によって構成されており、可撓性を有する。なお、「可撓性を有する」とは、外力が加わらない状態では所定の形状を維持でき、外力が加わると、その形状が変化し得ることを意味する。
【００４６】
具体的には、図８〜図１０に示すように、可動部材３は、ルアー本体２に固着され且つルアー本体２の進行方向Ａに延びる棒状の支持部３６と、支持部３６の前端から後端にかけて所定間隔を開けてルアー本体２の前方斜め下に延びる複数組み（例えば４組）の揺動部３７と、を有する。揺動部３７は、ルアー本体２の進行方向Ａと平行であり且つ支持部３６の幅方向中央を通る仮想直線を基準として、線対称となるように配置されている。
また、揺動部３７は、その基端から中途部にかけて棒状に形成された棒状部３７１を有し、その中途部から先端部にかけて扁平状に形成された扁平部３７２を有する。この扁平部３７２に水流が当たることにより、可動部材３の揺動部３７はルアー本体２の進行方向とは異なる方向に揺動することができる（図１０参照）。
可動部材３の後方であって、ルアー本体２の下方には、釣り針連結部２１とリング部材５を介して釣り針４が取り付けられている。従って、釣り針４は揺動可能である。釣り針４は、揺動時において可動部材３（特に、扁平部３７２）に接触することができる。
【００４７】
［第３変形例］
図１１は、本考案の第３変形例に係るルアーの側面図である。本変形例では、ルアー１は、ルアー本体２の略中央部から前方に延出するように取り付けられた可動部材３を有する。可動部材３は、上記変形例２と同様に、軟質樹脂によって構成されており、可撓性を有する。本変形例では、ルアー本体２は、側面視ザリガニ状に形成されている。ルアー本体２は、ザリガニの胴部を模した形状に構成されており、可動部材３は、ザリガニの腕部（ハサミ）を模した形状に構成されている。ルアー本体２の前端からは釣り針４が前方斜め上に延出されている。
本変形例では、可動部材は可撓性を有するため、水中において揺動可能であり、揺動時に可動部材３は釣り針４と接触可能である。
【００４８】
［第２の実施形態］
本考案の第２の実施形態について説明する。図１２は、本考案の第２の実施形態に係るルアーの側面図であり、図１３は、図１２のルアーをＸＩＩＩ−ＸＩＩＩ線で切断した断面図である。
本考案の第２の実施形態では、着色部を有する樹脂成形品を有する釣り針の軸部が釣り針の針部の近傍に配設されている。
具体的には、図１２及び図１３に示すように、本考案の第２の実施形態に係るルアー１は、ルアー本体２と、ルアー本体２に取り付けられた釣り針４と、を有する。
釣り針４は、ルアー本体２に取り付けられた軸部４４と、前記軸部４４の一端縁から他端縁にかけて放射状に延びる複数の針部４５と、を有する。より具体的には、釣り針４の軸部４４は、略円柱状に形成されており、この軸部４４の前端部がルアー本体２に固定されており、なお且つ、軸部４４の後端縁から前端縁側にかけて針部４５が延出されている。そして、本実施形態では、この釣り針４の軸部４４が着色部３１を有する樹脂成形品を有する。
このように、本実施形態では、着色部３１を有する樹脂成形品を有する釣り針の軸部が、釣り針４の針部４５の近傍に配設されているため、軸部４４を目がけて食いついた対象魚の口腔内に釣り針４の針部４５を入れ易くなる。
【００４９】
釣り針の針部先端と軸部の釣り針に最も近い表面の一部の直線距離は特に限定されないが、好ましくは、１ｍｍ〜２０ｍｍであり、より好ましくは１ｍｍ〜１０ｍｍであり、特に好ましくは１ｍｍ〜５ｍｍである。
釣り針の軸部の長さは特に限定されないが、軸部があまりに長すぎると、釣り針の針部先端と軸部の一部分が離れ過ぎる虞がある。従って、釣り針の軸部の長さは、好ましくはルアー本体２の全長の１／２０〜１／５であり、より好ましくは１／１５〜１／５であり、特に好ましくは１／１０〜１／５である。
釣り針の針部の数は特に限定されない。針部の数が多ければ多いほど、対象魚の口腔内に針部が引っ掛かり易くなる。しかし、針部があまりに多すぎると、針部によって軸部が覆い隠されてしまい、対象魚が軸部（着色部）を見逃す虞がある。従って、釣り針の針部の数は、好ましくは４〜２０本であり、より好ましくは４〜１０本であり、特に好ましくは４〜８本である。また、釣り針の針部は、軸部の前端縁から後端縁側にかけて延出されていてもよい。
【００５０】
本考案の第２の実施形態に係るルアーでは、着色部を有する樹脂成形品を有する釣り針の軸部が、釣り針の針部の近傍に配設されている。そのため、着色部に惹きつけられた対象魚が釣り針に引っ掛かり易い。従って、本考案のルアーは、濁度の高い水中でも優れた釣果を発揮することができる。
【００５１】
なお、本考案のルアーは、上記実施形態に限られず、本考案の意図する範囲で様々に設計変更できる。
例えば、第１の実施形態の尾びれ状の可動部材と、第２変形例のプロペラ状の可動部材を併用してもよい。また、第２の実施形態のルアーに対し、さらに第１の実施形態の尾びれ状の可動部材を組み合わせてもよい。
【符号の説明】
【００５２】
１…ルアー、２…ルアー本体、２１…釣り糸連結部、２２…可動部材連結部、２３…ミチ糸連結部、３…可動部材、３１…着色部、４…釣り針、４４…軸部、Ａ…ルアーの進行方向、Ｂ…上下方向、Ｃ…幅方向
【図１】
0003186315.tif 000003
【図２】
0003186315.tif 000004
【図３】
0003186315.tif 000005
【図４】
0003186315.tif 000006
【図５】
0003186315.tif 000007
【図６】
0003186315.tif 000008
【図７】
0003186315.tif 000009
【図８】
0003186315.tif 000010
【図９】
0003186315.tif 000011
【図１０】
0003186315.tif 000012
【図１１】
0003186315.tif 000013
【図１２】
0003186315.tif 000014
【図１３】
0003186315.tif 000015
【手続補正書】
【提出日】平成25年7月25日(2013.7.25)
【手続補正１】
【補正対象書類名】実用新案登録請求の範囲
【補正対象項目名】全文
【補正方法】変更
【補正の内容】
【実用新案登録請求の範囲】
【請求項１】
ルアー本体と、前記ルアー本体の進行方向とは異なる方向に動くことのできる可動部材と、釣り針と、を有しており、
前記可動部材が、着色部を有する樹脂成形品を有し、
前記可動部材と前記釣り針を最も近接させたときに、前記可動部材の最も前記釣り針に近い表面部と前記釣り針の最も前記可動部材に近い表面部の直線距離が０ｍｍ〜２０ｍｍとなるように、前記可動部材と前記釣り針とが前記ルアー本体にそれぞれ取り付けられていることを特徴とするルアー。
【請求項２】
前記可動部材が、可動時において前記釣り針と接触可能に設けられている請求項１に記載のルアー。
【請求項３】
前記着色部が、蛍光着色料及び蓄光着色料のうち少なくとも何れか一方を含んでいる請求項１又は２に記載のルアー。
【請求項４】
前記着色部の平均明度（ＶＡ１）とルアー本体の平均明度（ＶＡ２）の差（ＶＡ１−ＶＡ２）が、２〜９であり、前記着色部の平均彩度（ＣＡ１）とルアー本体の平均彩度（ＣＡ２）の差（ＣＡ１−ＣＡ２）が、２〜１２である請求項１〜３の何れかに記載のルアー。
【請求項５】
前記可動部材の表面積（Ｓ１）が前記ルアー本体の表面積（Ｓ２）よりも小さい請求項１〜４の何れかに記載のルアー。
【請求項６】
前記可動部材の表面積（Ｓ１）と前記ルアー本体の表面積（Ｓ２）の比率（Ｓ１：Ｓ２）が、１：５０〜１：３である請求項５に記載のルアー。
【請求項７】
ルアー本体と、前記ルアー本体に取り付けられた釣り針と、を有しており、
前記釣り針が、前記ルアー本体に取り付けられた軸部と、前記軸部の一端縁から他端縁側にかけて放射状に延びる複数の針部と、を有し、
前記釣り針の軸部が、着色部を有する樹脂成形品を有することを特徴とするルアー。
【手続補正２】
【補正対象書類名】明細書
【補正対象項目名】０００６
【補正方法】変更
【補正の内容】
【０００６】
本考案の第１のルアーは、ルアー本体と、前記ルアー本体の進行方向とは異なる方向に動くことのできる可動部材と、釣り針と、を有しており、前記可動部材が、着色部を有する樹脂成形品を有し、前記可動部材と前記釣り針を最も近接させたときに、前記可動部材の最も前記釣り針に近い表面部と前記釣り針の最も前記可動部材に近い表面部の直線距離が０ｍｍ〜２０ｍｍとなるように、前記可動部材と前記釣り針とが前記ルアー本体にそれぞれ取り付けられている。